(57)【特許請求の範囲】
【請求項１】
素子出射面から光を出射する発光素子と、
前記発光素子を保持する光源保持機構と、
前記光源保持機構を、載置される筐体に対して押圧する弾性部材と、
前記素子出射面に対向して設けられたコリメートレンズと、
前記光源保持機構に取り付けられ、前記コリメートレンズを保持するコリメータ保持部とを備えた光源装置であって、
前記光源保持機構は、位置調整具が当接される位置調整機構が設けられ、
前記位置調整具によって、前記光源保持機構を前記筐体に対して移動させることで、前記発光素子と前記コリメートレンズとは、前記筐体に対する位置が併せて調整されること
を特徴とする光源装置。
【請求項２】
請求項１に記載の光源装置であって、
前記光源保持機構は、前記筐体に対して、隙間を有して取り付けられていること
を特徴とする光源装置。
【請求項３】
請求項２に記載の光源装置であって、
前記隙間には、樹脂が充填されていること
を特徴とする光源装置。
【請求項４】
請求項１から請求項３までのいずれか１つに記載の光源装置であって、
前記光源保持機構は、前記発光素子の前記素子出射面に対向する素子下面に接する下面保持部を備え、
前記下面保持部は、前記発光素子から伝達された熱を外部へ放出する放熱部材とされていること
を特徴とする光源装置。
【請求項５】
請求項１から請求項４までのいずれか１つに記載の光源装置であって、
前記光源保持機構と前記コリメータ保持部との間には、前記コリメートレンズの前記発光素子に対する位置を調整する機構が設けられていること
を特徴とする光源装置。
【請求項６】
請求項１から請求項５までのいずれか１つに記載の光源装置を備える照明装置であって、
前記光源保持機構を収納する筐体を備え、
前記筐体と前記光源保持機構との間には、前記弾性部材を配置して、互いを離間させた調整領域が設けられていること
を特徴とする照明装置。
【請求項７】
請求項６に記載の照明装置であって、
前記筐体は、前記光源保持機構が載置される筐体載置部と、
前記光源保持機構を覆う筐体枠組とを含む構成とされ、
前記筐体載置部は、前記発光素子から延伸された端子部が挿入される端子挿入穴が設けられ、
前記端子挿入穴は、樹脂が充填されていること
を特徴とする照明装置。
【発明の詳細な説明】
【技術分野】
【０００１】
本発明は、光を出射する発光素子を備えた光源装置および照明装置に関する。
【背景技術】
【０００２】
近年、光源として半導体レーザ（ＬＤ）や発光ダイオード（ＬＥＤ）等の半導体発光素子を搭載した光源装置が照明等に利用されている。このような光源装置は、一般に光源の前部にレンズや導光部品、ファイバーなどの光制御部材を設置し、所定の光源サイズ、形状（スポットサイズ）に調整され、波長変換部材（蛍光体）の所定位置に照射して、所望の発光を得ている。光源装置では、光源と光学部品の位置精度が重要とされており、更にその調整された位置を、製品に応じた環境下で安定して維持することが重要とされている。また、近年では、高出力ＬＤダイオードが利用されており、放熱を向上させて温度を適切な範囲にすることが、出力向上および寿命保証において重要となってくる。このようなことから、半導体発光素子からの熱伝導性を高めて放熱させる光源装置が提案されている（例えば、特許文献１参照。）。
【先行技術文献】
【特許文献】
【０００３】
【特許文献１】特許第５５１６９４８号
【発明の概要】
【発明が解決しようとする課題】
【０００４】
特許文献１に記載の光源装置は、半導体発光素子と、半導体発光素子の周縁を露出して保持する保持部材と、半導体発光素子の周縁に備えられる弾性部材と、弾性部材を押圧する押圧部材と、保持部材に当接するヒートシンクとを備えている。弾性部材は、保持部材へ半導体発光素子を加圧しており、押圧部材は、コリメートレンズを保持するレンズ保持体とされている。この光源装置では、半導体発光素子の表面側がレンズ保持体（押圧部材）に覆われており、裏面側のヒートシンクへ放熱する構成となっている。ところで、半導体発光素子は、保持部材に保持されてヒートシンクに押圧されており、半導体発光素子の位置を調整することが考慮されていない。そのため、光源装置から照射される光の位置や形状などを調整することができないという課題がある。
【０００５】
本発明は、上記の課題を解決するためになされたものであり、光軸の調整や取り付けなどでの作業性を向上させることができる光源装置および照明装置を提供することを目的とする。
【課題を解決するための手段】
【０００６】
本発明に係る光源装置は、素子出射面から光を出射する発光素子と、前記発光素子を保持する光源保持機構と、前記光源保持機構を、載置される筐体に対して押圧する弾性部材と、前記素子出射面に対向して設けられたコリメートレンズと、前記光源保持機構に取り付けられ、前記コリメートレンズを保持するコリメータ保持部とを備えた光源装置であって、前記光源保持機構は、位置調整具が当接される位置調整機構が設けられ、前記位置調整具によって、前記光源保持機構を前記筐体に対して移動させることで、前記発光素子と前記コリメートレンズとは、前記筐体に対する位置が併せて調整されることを特徴とする。
【０００７】
本発明に係る光源装置では、前記光源保持機構は、前記筐体に対して、隙間を有して取り付けられている構成としてもよい。
【０００８】
本発明に係る光源装置では、前記隙間には、樹脂が充填されている構成としてもよい。
【０００９】
本発明に係る光源装置では、前記光源保持機構は、前記発光素子の前記素子出射面に対向する素子下面に接する下面保持部を備え、前記下面保持部は、前記発光素子から伝達された熱を外部へ放出する放熱部材とされている構成としてもよい。
【００１０】
本発明に係る光源装置では、前記光源保持機構と前記コリメータ保持部との間には、前記コリメートレンズの前記発光素子に対する位置を調整する機構が設けられている構成としてもよい。
【００１１】
本発明に係る照明装置は、本発明に係る光源装置と、前記光源保持機構を収納する筐体とを備え、前記筐体と前記光源保持機構との間には、前記弾性部材を配置して、互いを離間させた調整領域が設けられていることを特徴とする。
【００１２】
本発明に係る照明装置では、前記筐体は、前記光源保持機構が載置される筐体載置部と、前記光源保持機構を覆う筐体枠組とを含む構成とされ、前記筐体載置部は、前記発光素子から延伸された端子部が挿入される端子挿入穴が設けられ、前記端子挿入穴は、樹脂が充填されている構成としてもよい。
【発明の効果】
【００１３】
本発明によると、光源保持機構の位置を調整することで、筐体に対する光軸の調整を容易に行うことができる。
【図面の簡単な説明】
【００１４】
【図１】光源保持機構の側面図である。
【図２Ａ】光源保持機構の上面図である。
【図２Ｂ】光源保持機構の下面図である。
【図３Ａ】図２Ｂの矢符Ａ−Ａでの断面図である。
【図３Ｂ】図２Ｂの矢符Ｂ−Ｂでの断面図である。
【図４Ａ】図３Ａに示す各部を分離して示す説明図である。
【図４Ｂ】図３Ｂに示す各部を分離して示す説明図である。
【図５】本発明の第１実施形態に係る照明装置を示す概略断面図である。
【図６】本発明の第２実施形態に係る照明装置を示す概略断面図である。
【図７】本発明の第３実施形態に係る照明装置を示す概略断面図である。
【図８】本発明の第４実施形態に係る照明装置を示す概略断面図である。
【図９Ａ】本発明の第５実施形態に係る照明装置を示す概略説明図である。
【図９Ｂ】本発明の第６実施形態に係る照明装置を示す概略説明図である。
【図９Ｃ】本発明の第７実施形態に係る照明装置を示す概略説明図である。
【発明を実施するための形態】
【００１５】
以下では、本発明の第１実施形態に係る光源装置について説明する。光源装置は、光源保持機構１を備えた構成とされていることから、先ず、光源保持機構１の詳細について、図面を参照して説明する。
【００１６】
図１は、光源保持機構の側面図であり、図２Ａは、光源保持機構の上面図であり、図２Ｂは、光源保持機構の下面図である。図３Ａは、図２Ｂの矢符Ａ−Ａでの断面図であり、図３Ｂは、図２Ｂの矢符Ｂ−Ｂでの断面図であって、図３Ａは、光源保持機構１の第１横方向Ｘに沿った断面を示し、図３Ｂは、光源保持機構１の第２横方向Ｙに沿った断面を示しており、第１横方向Ｘと第２横方向Ｙとは、互いに直交している。図４Ａは、図３Ａに示す各部を分離して示す説明図であり、図４Ｂは、図３Ｂに示す各部を分離して示す説明図である。なお、以下の図面では、図面の見易さを考慮して、発光素子２０およびコリメートレンズ４０の断面ではなく、外観を示している。
【００１７】
光源装置における光源保持機構１では、光を出射する発光素子２０が、光の出射側に設けられた素子保持部１０と、発光素子２０の下面側に設けられた下面保持部３０とで保持された構成とされている。なお、以下では説明のため、発光素子２０から光が出射される方向を光軸方向Ｚと呼ぶことがある。また、光軸方向Ｚのうち、発光素子２０を基準として、光の出射側を表面側（上方）と呼び、表面側と反対側を裏面側（下方）と呼ぶことがある。素子保持部１０は、発光素子２０の出射側が開口しており、コリメータ保持部５０に保持されたコリメートレンズ４０が取り付けられている。下面保持部３０には、発光素子２０から延伸された端子部２３が挿入された下面端子穴３１と、結合具８０（詳細は図３Ｂ参照）が挿入される下面結合穴３２とが設けられている。
【００１８】
発光素子２０は、内部に半導体レーザ素子（ＬＤ）を搭載したメタル缶パッケージとされており、上面（素子出射面２１）から光（レーザ）を照射する。具体的に、発光素子２０は、略円柱形状とされ、下面（素子下面２２）から下方へ３本の端子部２３が延伸されている。発光素子２０の素子下面２２側には、周囲より径が大きい素子大径部２４が設けられている。
【００１９】
素子保持部１０は、略円筒形状とされ、上部と下部とで径が異なっており、下部の径が大きい。なお、素子保持部１０は、円筒形状に限定されず、発光素子２０から出射されるレーザの光軸を移動または回転できる形状（角型、楕円型等）であれば適宜選択できる。
【００２０】
素子保持部１０の内部は、光軸方向Ｚに沿った空洞とされ、上面と下面とが開口している。素子保持部１０は、内部に下面保持部３０、発光素子２０、およびコリメータ保持部５０が挿入される構成とされており、それぞれに応じた形状とされた下面挿入部１１、素子挿入部１２、およびコリメータ挿入部１３が下方から順に設けられている。具体的に、下面挿入部１１および素子挿入部１２は、素子保持部１０の下部に位置し、コリメータ挿入部１３は、素子保持部１０の上部に位置している。コリメータ挿入部１３の内側面には、螺旋状の溝が形成されており、コリメータ保持部５０の外側面に設けられたネジ山（コリメータ調整部５２）に噛み合う構造とされている。なお、図示していないが、素子挿入部１２には、発光素子２０に応じた凹部や突起などを形成してもよく、互いに噛み合うことで、位置を固定することができる。
【００２１】
素子保持部１０の下部には、結合具８０が挿入される結合穴１４と、位置調整具１０１（後述する図５参照）が挿入される位置調整穴１５とが設けられている。結合穴１４は、表面側から下面挿入部１１まで貫通して形成されており、結合具８０が下面保持部３０にも挿入される構造となっており、表面側の一部は、結合具８０の上端（ネジの頭）を受け止めるため、径が大きくなっている。結合穴１４は、第２横方向Ｙで離間した２箇所に設けられている（図４Ｂでは、素子保持部１０の左部と右部）。位置調整穴１５は、裏面側（下面）に開口しており、第１横方向Ｘで離間した２箇所に設けられている（図２Ｂでは、素子保持部１０の左部と右部）。
【００２２】
結合具８０は、ネジであって、詳細を図示していないが、結合具８０、結合穴１４、および下面結合穴３２には、互いに噛み合う溝やネジ山が形成されている。なお、結合具８０は、ネジに限定されず、例えば、ビスやリベットなどであってもよい。
【００２３】
下面保持部３０は、外縁の一部が欠けた略円板形状とされている。つまり、完全な円形とせずに一部が欠けた形状とすることで、素子保持部１０と下面保持部３０とを組み合わせた際、下面保持部３０は、下面挿入部１１に引っ掛かって回転せず、位置が固定される。下面端子穴３１は、下面保持部３０の略中央に設けられ、端子部２３に対応する位置が開口している。また、下面端子穴３１は、第２横方向Ｙで幅広とされ、第１横方向Ｘで発光素子２０（特に、素子大径部２４）より幅が狭く形成されている。つまり、発光素子２０は、下面保持部３０に対し、下面端子穴３１を介して端子部２３が下方へ突出し、素子下面２２の一部が下面保持部３０に覆われて保持されている。下面結合穴３２は、第２横方向Ｙで離間した２箇所に設けられ（図２Ｂでは、下面保持部３０の上部と下部）、結合穴１４に応じた位置とされている。
【００２４】
コリメートレンズ４０は、素子出射面２１に対向して設けられ、発光素子２０から出射した光を平行光とする。発光素子２０からは、素子出射面２１から離れるに従って光が拡散するが、コリメートレンズ４０を介することで、平行光に変換されて光径（スポットサイズ）が決定される。すなわち、発光素子２０に対するコリメートレンズ４０の位置を変化させることによって、光径を調整することができる。具体的に、コリメートレンズ４０は、コリメータ保持部５０およびレンズ押え６０に保持されて、素子保持部１０に取り付けられている。
【００２５】
コリメータ保持部５０は、外側面にコリメータ調整部５２が形成された略円筒形状とされている。コリメータ保持部５０の下端には、上部より内径が小さいレンズ載置部５１が形成されている。レンズ押え６０は、略円筒形状とされ、外径がコリメータ保持部５０の内径と略等しく、内径がコリメートレンズ４０の径より小さい。
【００２６】
コリメートレンズ４０、コリメータ保持部５０、およびレンズ押え６０を組み合わせる際、コリメートレンズ４０は、コリメータ保持部５０に上方から挿入され、レンズ載置部５１に載置される。この状態で、コリメータ保持部５０の上方から、レンズ押え６０を更に挿入することで、コリメートレンズ４０は、外縁部がコリメータ保持部５０とレンズ押え６０とに挟持される。
【００２７】
素子保持部１０とコリメータ保持部５０との間には、コリメートレンズ４０の発光素子２０に対する位置を調整するレンズ調整機構が設けられており、本実施の形態では、コリメータ挿入部１３とコリメータ調整部５２とがレンズ調整機構に相当する。つまり、コリメータ調整部５２は、コリメータ挿入部１３に応じたネジ構造とされており、回転させることで、光軸方向Ｚに沿って移動させることができる。これによって、コリメートレンズ４０から出射される平行光を容易に調整することができる。なお、レンズ調整機構については、ネジ構造だけに限定されず、例えば、コリメータ保持部５０にテンションを与えてスライド調整する構造や、コリメートレンズ４０だけを移動させる構成としてもよい。また、本発明は、レンズ調整機構を設けない構成としてもよく、この場合には、コリメートレンズ４０がコリメータ挿入部１３に直接固定されていればよい。
【００２８】
発光素子２０、素子保持部１０、および下面保持部３０を組み合わせる際、発光素子２０は、素子保持部１０に下方から挿入され、素子大径部２４が素子挿入部１２に当接して位置が安定する。この状態で、更に、素子保持部１０の下方から、下面保持部３０を下面挿入部１１に挿入することで、発光素子２０（特に、素子大径部２４）は、素子保持部１０と下面保持部３０とに挟持される。そして、結合穴１４と下面結合穴３２とに跨って結合具８０を挿入することで、発光素子２０、素子保持部１０、および下面保持部３０は、より強固に保持される。また、コリメータ保持部５０は、素子保持部１０に対して上方から挿入することで、両者を組み合わせることができる。
【００２９】
素子保持部１０および下面保持部３０は、空気と比較して充分に熱伝導率が高く、例えば、アルミニウム、ステンレス、亜鉛、ベリリウム銅、および銅などの金属、あるいは、金属がインサートされた樹脂成型品などで形成されている。つまり、下面保持部３０は、発光素子２０から伝達された熱を外部へ放出する放熱部材とされている。従って、発光素子２０に接する下面保持部３０を設けることで、発光素子２０の熱を安定的に放出することができる。
【００３０】
次に、本発明の第１実施形態に係る照明装置２について説明する。照明装置２は、上述した光源保持機構１を収納する筐体９０を備えることから、先ず、筐体９０の詳細について、図面を参照して説明する。
【００３１】
図５は、本発明の第１実施形態に係る照明装置を示す概略断面図である。
【００３２】
照明装置２は、光源保持機構１を収納する筐体９０を備えている。筐体９０は、下面保持部３０が載置される筐体載置部９２と、素子保持部１０を覆う筐体枠組９１とを含む構成とされている。筐体載置部９２と筐体枠組９１とは、図示しないビスやネジ等で互いに固定されている。
【００３３】
筐体枠組９１は、光源保持機構１の形状より僅かに大きい空洞が形成されており、空洞の上方には、上面が開口した光照射穴９１ａが設けられている。つまり、光源保持機構１は、筐体枠組９１に収納されることで、筐体枠組９１との間に隙間（調整領域ＴＲ）が形成され、素子出射面２１（コリメートレンズ４０）と光照射穴９１ａとが対向する位置に配置される。調整領域ＴＲ（例えば、図５では、第１横方向での素子保持部１０と筐体枠組９１との間隔）の幅は、０．３ｍｍ以上とされているのが好ましい。
【００３４】
筐体載置部９２は、端子挿入穴９２ｂと調整用穴９２ａとが設けられている。端子挿入穴９２ｂは、下面端子穴３１（端子部２３）に面する位置に設けられている。端子挿入穴９２ｂの形状については、特に限定されておらず、例えば、円形とされており、端子部２３が挿入できる程度の大きさとされていればよい。調整用穴９２ａは、２つの位置調整穴１５にそれぞれ面する位置に設けられ、位置調整穴１５よりも径が大きい。調整用穴９２ａには、位置調整具１０１が挿入されており、位置調整具１０１は、調整用穴９２ａよりも径が小さい。
【００３５】
筐体枠組９１（筐体９０）と光源保持機構１との間には、弾性部材７０を配置して、互いを離間させた調整領域ＴＲが設けられている。具体的に、弾性部材７０は、円環状とされ、素子保持部１０の下部の表面側に当接しており、素子保持部１０を下方へ押圧している。つまり、光源保持機構１は、弾性部材７０によって、筐体載置部９２（筐体９０）に向かう方向へ付勢されている。
【００３６】
位置調整具１０１は、調整用穴９２ａよりも径が小さいため、調整用穴９２ａの内部で、第１横方向Ｘおよび第２横方向Ｙへ移動させることができる。位置調整具１０１は、位置調整穴１５に固定されているため、光源保持機構１は、位置調整具１０１と伴に移動し、筐体９０に対する相対的な位置が変化する。このように、本実施の形態では、位置調整具１０１、調整用穴９２ａ、および位置調整穴１５が光源保持機構１と筐体９０との相対的な位置を調整する位置調整機構に相当する。２つの位置調整具１０１のうち、一方と他方とで、移動させる距離を異ならせることで、光源保持機構１は、光軸方向Ｚに平行な直線を軸にして回転する。このように、光源保持機構１の移動距離を適宜調整することで、発光素子２０から出射される光の光軸を移動および回転させることができる。なお、位置調整具１０１は、位置調整穴１５に必ず固定される必要はなく、位置調整具１０１に換えて、取り外しが可能な治具等を位置調整穴１０１から素子保持部１０に固定して、第１横方向Ｘおよび第２横方向Ｙへ移動させてもよい。
【００３７】
また、光源保持機構１は、移動させる際、弾性部材７０に押圧されて、筐体載置部９２（筐体９０）に密接しているので、調整領域ＴＲ内での揺動が抑えられ、浮き上がったりせずに安定した状態で作業することができる。従って、弾性部材７０を介して光源保持機構１を筐体９０に取り付けることで、光源装置の位置合わせが容易な照明装置とすることができる。
【００３８】
上述したように、結合具８０や位置調整機構などの固定に適した素子保持部１０および下面保持部３０を併せて、一体の光源保持機構１とすることで、取り付けなどでの作業性を向上させることができる。また、光源保持機構１の位置を調整する機構を設けることで、筐体９０に対する光軸の調整を容易に行うことができる。さらに、筐体９０に対し、光源保持機構１との隙間を設けることで、位置を調整するための余裕を確保することができる。
【００３９】
本実施の形態において、弾性部材７０は、一様な厚みの波ワッシャとされているが、これに限定されず、皿バネやコイルバネなどでもよい。また、対向する２枚の平板でコイルバネを挟持した構成としてもよく、筐体９０および光源保持機構１に当接する面積を増やすことで、押圧する力を均等に分散させることができる。弾性部材７０の材料としては、例えば、ばね鋼、りん青銅、およびステンレスなどの金属系ばね材などが挙げられるが、弾性を有する材質であれば、ゴムや樹脂等を用いてもよい。
【００４０】
また、弾性部材７０は、素子保持部１０と一体に形成されていてもよい。さらに、弾性部材７０は、異なる位置に配置されていてもよく、例えば、光源保持機構１の下方であって、素子保持部１０と筐体載置部９２との間に設けられていてもよい。この場合、弾性部材７０は、光源保持機構１を上方へ押圧し、光源保持機構１と筐体枠組９１とを密接させる。
【００４１】
次に、本発明の第２実施形態ないし第４実施形態に係る照明装置２について説明する。
【００４２】
図６は、本発明の第２実施形態に係る照明装置を示す概略断面図である。なお、第１実施形態と機能が実質的に等しい構成要素については、同一の符号を付して説明を省略する。
【００４３】
第２実施形態は、第１実施形態に対して、コリメートレンズ４０が筐体９０に取り付けられている点で異なる。具体的に、光源保持機構１には、コリメータ挿入部１３に換えて、素子開口部１６が設けられている。素子開口部１６では、素子出射面２１に面する部分が開口しており、発光素子２０から出射された光は、素子開口部１６を通って、上方へ照射される。筐体枠組９１には、光照射穴９１ａの下端部にコリメートレンズ４０が固定されており、光源保持機構１から照射された光は、コリメートレンズ４０に入射する。
【００４４】
なお、本実施の形態では、筐体９０にコリメートレンズ４０が直接固定された構成としたが、これに限定されず、コリメータ保持部５０やレンズ押え６０といったレンズ調整機構を介して、コリメートレンズ４０が筐体９０に取り付けられていてもよい。
【００４５】
また、本実施の形態は、第１実施形態に対して、位置調整具１０１を備えていない点で異なる。つまり、裏面側から、筐体載置部９２を見た際には、調整用穴９２ａ内に位置調整穴１５が配置された状態となる。この場合、位置調整穴１５を手がかりとして、光源保持機構１を第１横方向Ｘおよび第２横方向Ｙで移動させることで、光源保持機構１の位置調整を行うことができる。
【００４６】
図７は、本発明の第３実施形態に係る照明装置を示す概略断面図である。なお、第１実施形態および第２実施形態と機能が実質的に等しい構成要素については、同一の符号を付して説明を省略する。
【００４７】
第３実施形態は、第１実施形態に対して、位置調整機構の構成が異なる。具体的に、第３実施形態では、位置調整穴１５に換えて、下方へ突出した位置調整ボス１７が設けられている。位置調整ボス１７は、調整用穴９２ａよりも径が小さく、調整用穴９２ａ内で移動させることができる。つまり、位置調整具１０１と同様に、位置調整ボス１７を移動させることで、光源保持機構１の位置調整を行うことができる。
【００４８】
また、第３実施形態では、下面端子穴３１等の各部に樹脂が充填されている。なお、樹脂を充填する工程については、位置調整の後に行うのが望ましい。具体的に、下面端子穴３１および端子挿入穴９２ｂには、充填された樹脂を硬化させた端子樹脂部１１１が形成されている。また、調整用穴９２ａに充填された樹脂によって調整樹脂部１１２が形成され、光源保持機構１と筐体枠組９１との間（調整領域ＴＲ）に充填された樹脂によって側面樹脂部１１３が形成されている。
【００４９】
側面樹脂部１１３に関し、調整領域ＴＲのうち、素子保持部１０の下部と筐体枠組９１とが面する部分に樹脂が充填されており、光源保持機構１の上部の開口している部分（コリメータ挿入部１３）は、樹脂に覆われていない。つまり、光源保持機構１から出射される光を遮らないように樹脂が充填されている。このように、樹脂を充填することで、発光素子２０から樹脂を介した放熱を促進させることができる。また、端子部２３が挿入された穴に樹脂を充填することで、発光素子２０を下面保持部３０および筐体載置部９２に固定することができる。なお、光源保持機構１と筐体枠組９１との間（調整領域ＴＲ）には、樹脂に限らずグリスを充填してもよい。グリスは、樹脂よりも高温動作時での粘性が低くなるが、発光素子２０からの放熱を維持しつつ、グリス充填後の光源保持機構１の位置調整が可能となる。
【００５０】
側面樹脂部１１３を形成する際には、弾性部材７０によって、充填される樹脂を塞き止めてもよい。これによって、弾性部材７０を設ける位置を適宜設定すれば、樹脂が充填される範囲を自在に調整できる。
【００５１】
図８は、本発明の第４実施形態に係る照明装置を示す概略断面図である。なお、第１実施形態ないし第３実施形態と機能が実質的に等しい構成要素については、同一の符号を付して説明を省略する。
【００５２】
第４実施形態は、第１実施形態に対して、位置調整機構の構成が異なる。第４実施形態では、光源保持機構１の下面ではなく、側面に位置調整機構が設けられている。そのため、素子保持部１０に位置調整穴１５が設けられておらず、筐体載置部９２に調整用穴９２ａが設けられていない。第４実施形態では、位置調整機構として筐体枠組９１に筐体調整穴９１ｂが設けられている。筐体調整穴９１ｂは、光源保持機構１の側面（特に、素子保持部１０の下部）に面するように開口している。また、素子保持部１０には、筐体調整穴９１ｂに面する位置に、周囲より凹んだ側面調整部１８が設けられている。光源保持機構１の位置調整の際には、筐体調整穴９１ｂを介して側面調整部１８を手がかりに、光源保持機構１を移動させればよい。なお、側面調整部１８は、凹部に限定されず、突起などでもよい。また、側面調整部１８を設けずに、側方から光源保持機構１を押圧するなどして、位置調整を行ってもよい。
【００５３】
第４実施形態では、充填された樹脂によって端子樹脂部１１１だけが設けられているが、側面樹脂部１１３を設けた構成としてもよい。側面樹脂部１１３を形成する際には、筐体調整穴９１ｂを介することで、調整領域ＴＲに容易に樹脂を充填することができる。
【００５４】
次に、本発明の第１実施形態ないし第４実施形態に係る照明装置２に波長変換部材１２０や投光レンズ１３０などを取り入れた第５実施形態ないし第７実施形態について、図面を参照して説明する。
【００５５】
図９Ａは、本発明の第５実施形態に係る照明装置を示す概略説明図である。
【００５６】
第５実施形態では、光源保持機構１から照射された光を反射材１１０で反射させて波長変換部材１２０へ導き、波長変換部材１２０から照射された光が投光レンズ１３０へ入射する構成とされている。
【００５７】
反射材１１０は、例えば、ミラーである。波長変換部材１２０は、例えば、蛍光体であって、入射したレーザ光の波長を変換し、白色光とする。投光レンズ１３０は、入射した光を透過させて拡散させる。
【００５８】
具体的に、筐体９０には、２つの光源保持機構１が収納されており、上面に波長変換部材１２０が設けられている。２つの光源保持機構１の上方には、それぞれに応じた位置に反射材１１０が設けられている。投光レンズ１３０は、波長変換部材１２０の上方に設けられている。なお、本実施の形態では、光源保持機構１を２つ設けた構成としたが、これに限定されず、光源保持機構１の数を適宜変更してもよく、光源保持機構１の数に応じた反射材１１０を設ければよい。また、反射材１１０および投光レンズ１３０は、図示しない筐体９０の一部に固定されていればよい。
【００５９】
図９Ｂは、本発明の第６実施形態に係る照明装置を示す概略説明図である。
【００６０】
第５実施形態において、波長変換部材１２０は、入射した光を投光レンズ１３０に向かうように反射させていたが、第６実施形態では、光が波長変換部材１２０を透過して投光レンズ１３０に向かう構成とされている。具体的に、第６実施形態では、筐体９０の開口部に波長変換部材１２０が設けられ、筐体９０の上方に投光レンズ１３０が設けられている。光源保持機構１は、開口部の下方に収納されており、上方へ向けて光を照射する。光源保持機構１から出射された光は、開口部を通って波長変換部材１２０に入射し、波長変換部材１２０を透過することで、波長が変換された後、投光レンズ１３０に入射する。なお、本実施の形態では、光源保持機構１を１つ設けた構成としたが、光源保持機構１の数を適宜変更してもよい。光源保持機構１を複数設ける場合には、それぞれから出射される光の方向を異ならせて、光源保持機構１の位置が重ならないように保持する構成とすればよい。
【００６１】
図９Ｃは、本発明の第７実施形態に係る照明装置を示す概略説明図である。
【００６２】
第７実施形態は、第５実施形態に対し、光源保持機構１から出射された光が、波長変換部材に直接入射する点で異なる。具体的に、第７実施形態では、筐体９０の下部に波長変換部材１２０が設けられ、波長変換部材１２０に面するように筐体９０の上部に開口部が設けられている。光源保持機構１は、斜め下方へ光を出射するように筐体９０に保持されている。投光レンズ１３０は、波長変換部材１２０の上方に配置されている。つまり、光源保持機構１の光軸を傾斜させて、波長変換部材１２０から投光レンズ１３０に向かう光を妨げない位置に光源保持機構１が配置されている。なお、本実施の形態では、光源保持機構１を２つ設けた構成としたが、光源保持機構１の数を適宜変更してもよい。
【００６３】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６４】
１  光源保持機構
２  照明装置
１０  素子保持部
１３  コリメータ挿入部（レンズ調整機構の一例）
１５  位置調整穴（位置調整機構の一例）
２０  発光素子
２１  素子出射面
２２  素子下面
２３  端子部
３０  下面保持部
３１  下面端子穴
４０  コリメートレンズ
５０  コリメータ保持部
５２  コリメータ調整部（レンズ調整機構の一例）
６０  レンズ押え
７０  弾性部材
８０  結合具
９０  筐体
９１  筐体枠組
９２  筐体載置部
９２ａ  調整用穴（位置調整機構の一例）
１０１  位置調整具（位置調整機構の一例）
１１０  反射材
１１１  端子樹脂部
１１２  調整樹脂部
１１３  側面樹脂部
１２０  波長変換部材
１３０  投光レンズ
ＴＲ  調整領域
Ｘ  第１横方向
Ｙ  第２横方向
Ｚ  光軸方向
【図１】
0006618333.tif 000002
【図２Ａ】
0006618333.tif 000003
【図２Ｂ】
0006618333.tif 000004
【図３Ａ】
0006618333.tif 000005
【図３Ｂ】
0006618333.tif 000006
【図４Ａ】
0006618333.tif 000007
【図４Ｂ】
0006618333.tif 000008
【図５】
0006618333.tif 000009
【図６】
0006618333.tif 000010
【図７】
0006618333.tif 000011
【図８】
0006618333.tif 000012
【図９Ａ】
0006618333.tif 000013
【図９Ｂ】
0006618333.tif 000014
【図９Ｃ】
0006618333.tif 000015